(57)【要約】      （修正有）【課題】第二板体の当接背面は厚さの変化を有するように形成されることにより、フェース板の構造強度を高める。【解決手段】ヘッド本体１、第一板体２１と第二板体２２により構成される。ヘッド本体１には当接部１１が設けられる。第一板体２１には打球正面２１１と結合背面２１２が形成される。第二板体２２には結合正面２２１と当接背面２２２が形成される。第二板体２２の結合正面２２１は第一板体２１の結合背面２１２に対応して結合することによってフェース板２を組成する。第二板体２２の当接背面２２２はヘッド本体１の当接部１１に対応して結合するように構成されている。【選択図】図１
0003120340.tif 000002
【実用新案登録請求の範囲】
【請求項１】
ヘッド本体（１）、第一板体（２１）および第二板体（２２）により構成される複合式フェース板を有するゴルフクラブヘッドであって、ヘッド本体（１）には正面が形成され、第一板体（２１）には打球正面（２１１）と結合背面（２１２）が形成され、第二板体（２２）の材質は第一板体（２１）の材質とは異なり、そして第二板体（２２）には結合正面（２２１）と当接背面（２２２）が形成され、結合正面（２２１）が第一板体（２１）の結合背面（２１２）に結合されることによってフェース板（２）を組成し、当接背面（２２２）は上記ヘッド本体（１）の正面に結合され、そして当接背面（２２２）は厚さの変化を有するように形成されることにより、フェース板（２）の構造強度を高めるように形成されることを特徴とする複合式フェース板を有するゴルフクラブヘッド。
【請求項２】
他に少なくとも一個の厚突出部（２２３）が形成され、厚突出部（２２３）は第二板体（２２）の当接背面（２２２）に突出するように設けられることを特徴とする請求項１記載の複合式フェース板を有するゴルフクラブヘッド。
【請求項３】
上記厚突出部は円弧突出状の厚突出部（２２３）または扁柱体状の厚突出部（２２３ａ）からなることを特徴とする請求項２記載の複合式フェース板を有するゴルフクラブヘッド。
【請求項４】
上記厚突出部は選択的に第二板体（２２）の当接背面（２２２）の中央部位に形成されることを特徴とする請求項２記載の複合式フェース板を有するゴルフクラブヘッド。
【請求項５】
上記厚突出部は選択的に第二板体（２２）の当接背面（２２２）の少なくとも一個の外周縁ゾーンに形成されることを特徴とする請求項２記載の複合式フェース板を有するゴルフクラブヘッド。
【請求項６】
上記厚突出部は選択的に第二板体（２２）の当接背面（２２２）の外周縁において環状になるように形成されることにより、上記ヘッド本体（１）の正面に対応して結合することを特徴とする請求項２記載の複合式フェース板を有するゴルフクラブヘッド。
【請求項７】
上記厚突出部は選択的に第二板体（２２）の当接背面（２２２）の中央部位の外囲において環状になるように形成されることを特徴とする請求項２記載の複合式フェース板を有するゴルフクラブヘッド。
【請求項８】
上記厚突出部は選択的に第二板体（２２）の当接背面（２２２）において凸リブ状になるように形成されることを特徴とする請求項２記載の複合式フェース板を有するゴルフクラブヘッド。
【請求項９】
上記厚突出部は選択的にヒール部からトー部まで延伸するように形成されることを特徴とする請求項８記載の複合式フェース板を有するゴルフクラブヘッド。
【請求項１０】
上記厚突出部は選択的にクラウン部からソール部まで延伸するように形成されることを特徴とする請求項８記載の複合式フェース板を有するゴルフクラブヘッド。
【請求項１１】
上記厚突出部は選択的に第二板体（２２）の当接背面（２２２）の中央部位において交差になるように形成されることを特徴とする請求項８記載の複合式フェース板を有するゴルフクラブヘッド。
【請求項１２】
第一板体（２１）は高弾性の変形能力を有する板体から選択することを特徴とする請求項１記載の複合式フェース板を有するゴルフクラブヘッド。
【請求項１３】
第二板体（２２）は高い振動吸収の能力を有する板体から選択することを特徴とする請求項１記載の複合式フェース板を有するゴルフクラブヘッド。
【請求項１４】
ヘッド本体（１）には開口（１０）と当接部（１１）が設けられ、開口（１０）は上記ヘッド本体（１）の正面に形成され、当接部（１１）は開口（１０）の外周縁に環設されることにより、第二板体（２２）に対応して結合するように形成されることを特徴とする請求項１記載の複合式フェース板を有するゴルフクラブヘッド。
【請求項１５】
第一板体（２１）と第二板体（２２）との間には爆発溶接層が形成されることを特徴とする請求項１記載の複合式フェース板を有するゴルフクラブヘッド。
【請求項１６】
第一板体（２１）と第二板体（２２）との間にはロール層が形成されることを特徴とする請求項１記載の複合式フェース板を有するゴルフクラブヘッド。
【考案の詳細な説明】
【技術分野】
【０００１】
本考案は、複合式フェース板を有するゴルフクラブヘッドに関するもので、特に第一板体と第二板体を結合することによってフェース板とし、そして第二板体の片側には厚さの変化を有するように形成されるため、構造強度を強化できる複合式フェース板を有するゴルフクラブヘッドに係るものである。
【背景技術】
【０００２】
従来の複合式フェース板を有するゴルフクラブヘッドとしては、その接合方法には下記の段階が含まれる。ａ）異なる金属材質の第一板材と第二板材を爆発溶接によって合成板材と結合し、それから上記合成板材を一般の殻片状の第一部材として成形させ、上記第一部材の形状はヘッドの正面のフェース板に対応するように形成され、さらに上記第一板材は上記第一部材が上記ヘッドに比較的に近い側に位置合わせるように形成される段階と、ｂ）上記合成板材が上記第一部材として成形した時、上記第二板材の中央部位を除去して上記第二板材の周縁の部位だけを残すことにより、上記第二部材が溶接して結合するのに用いることができる段階と、ｃ）他に上記第二部材を製造し、上記第二部材の形状は上記ヘッドの主体部分に対応するように形成されるため、上記第一部材と互いに配合することができ、上記第二部材の材質は上記第二板材とは同じで、さらに上記第一部材を上記第二部材に近寄らせて上記第二板材の周縁を上記第二部材に当接させ、それから溶接によって上記第二部材を上記第一部材の第二板材と結合することにより、ゴルフクラブヘッドを接合するようにとしたものがある（例えば、特許文献１を参照）。
【特許文献１】中華民国第５５０１０６号公報
【考案の開示】
【考案が解決しようとする課題】
【０００３】
上記のような従来の複合式フェース板を有するゴルフクラブヘッドにおいては、実際に打球する時、上述した複合式フェース板を有するゴルフクラブヘッドの第一部材の第一板材の中央部位（すなわち、打球のスイートスポット）は比較的大きい打球の応力と衝撃力を受けるが、上記第一板材の中央部位の背面には第二板材を有しないため、さらに上記第一板材の中央部位の背面は上記第一板材そのものの肉厚とは実質的に同じで、上記第一部材の中央部位では充分な構造強度を提供することができないため、長期に渡って使用すると、上記第一板材には変形または破裂が生じてしまうかもしれず、さらに打球の振動を有効に吸収することができないため、使用寿命が相対的に短くなる。また、上記第一板材はただ背面の周縁から上記第二板材と結合することにより、両者の間の結合面積は極めて限られるため、上記第一板材が脱落し易くなるという問題点があった。そのため、上述した複合式フェース板を有するゴルフクラブヘッドをさらに改良しなければならない。
【０００４】
本考案はこのような問題点に鑑みて考案したものであって、その目的とするところは、第一板体と第二板体を結合してフェース板とし、さらに上記第二板体はヘッド本体の片側に対応して厚さの変化を有するように形成され、例えば上記第二板体の中央部位には比較的大きく突出した厚さ部分が形成されるため、フェース板の強度を相対的に高めることができる。また、上記第二板体の厚さの変化により打球の応力を適当に分散することができると共に、打球の余震を吸収することができるため、打球の安定性を相対的に高めることができる複合式フェース板を有するゴルフクラブヘッドを提供しようとするものである。
【０００５】
本考案の第一の目的は、第一板体と第二板体を結合してフェース板とし、そして上記第二板体はヘッド本体の片側に対応して厚さの変化を有するように形成されるため、フェース板の構造強度を高めることができる複合式フェース板を有するゴルフクラブヘッドを提供しようとするものである。
【０００６】
本考案の第二の目的は、第一板体と第二板体を結合してフェース板とし、そして上記第一板体は比較的よい弾性の変形能力を有し、さらに上記第二板体は比較的よい振動吸収の能力を有するため、弾性の変形能力と振動吸収の能力を同時に有することができる複合式フェース板を有するゴルフクラブヘッドを提供しようとするものである。
【０００７】
本考案の第三の目的は、第一板体と第二板体を結合してフェース板とし、そして上記第二板体とヘッド本体とは比較的よい溶接の相容性を有することができるため、結合の信頼性を高めることができる複合式フェース板を有するゴルフクラブヘッドを提供しようとするものである。
【０００８】
上記目的を達成するために、本考案による複合式フェース板を有するゴルフクラブヘッドは、下記のようになるものである。すなわち、
ヘッド本体、第一板体および第二板体により構成される。ヘッド本体には正面が形成される。第一板体には打球正面と結合背面が形成される。第二板体の材質は第一板体の材質とは異なり、そして第二板体には結合正面と当接背面が形成され、結合正面が第一板体の結合背面に結合されることによってフェース板を組成する。当接背面は上記ヘッド本体の正面に結合され、そして当接背面は厚さの変化を有するように形成されることにより、フェース板の構造強度を高めるように形成される。
【０００９】
本考案による複合式フェース板を有するゴルフクラブヘッドは、他に少なくとも一個の厚突出部が形成され、厚突出部は第二板体の当接背面に突出するように設けられることもできる。また、上記厚突出部は円弧突出状の厚突出部または扁柱体状の厚突出部からなることもできる。また、上記厚突出部は選択的に第二板体の当接背面の中央部位に形成されることもできる。また、上記厚突出部は選択的に第二板体の当接背面の少なくとも一個の外周縁ゾーンに形成されることもできる。また、上記厚突出部は選択的に第二板体の当接背面の外周縁において環状になるように形成されることにより、上記ヘッド本体の正面に対応して結合することもできる。また、上記厚突出部は選択的に第二板体の当接背面の中央部位の外囲において環状になるように形成されることもできる。また、上記厚突出部は選択的に第二板体の当接背面において凸リブ状になるように形成されることもできる。また、上記厚突出部は選択的にヒール部からトー部まで延伸するように形成されることもできる。また、上記厚突出部は選択的にクラウン部からソール部まで延伸するように形成されることもできる。また、上記厚突出部は選択的に第二板体の当接背面の中央部位において交差になるように形成されることもできる。また、第一板体は高弾性の変形能力を有する板体から選択することもできる。また、第二板体は高い振動吸収の能力を有する板体から選択することもできる。また、ヘッド本体には開口と当接部が設けられ、開口は上記ヘッド本体の正面に形成され、当接部は開口の外周縁に環設されることにより、第二板体に対応して結合するように形成されることもできる。また、第一板体と第二板体との間には爆発溶接層が形成されることもできる。また、第一板体と第二板体との間にはロール層が形成されることもできる。
【考案の効果】
【００１０】
本考案の複合式フェース板を有するゴルフクラブヘッドによれば、第一板体と第二板体を結合してフェース板とし、そして上記第二板体はヘッド本体の片側に対応して厚さの変化を有するように形成されるため、フェース板の構造強度を高めることができるという利点がある。
【００１１】
本考案の複合式フェース板を有するゴルフクラブヘッドによれば、第一板体と第二板体を結合してフェース板とし、そして上記第一板体は比較的よい弾性の変形能力を有し、さらに上記第二板体は比較的よい振動吸収の能力を有するため、弾性の変形能力と振動吸収の能力を同時に有することができるという利点がある。
【００１２】
本考案の複合式フェース板を有するゴルフクラブヘッドによれば、第一板体と第二板体を結合してフェース板とし、そして上記第二板体とヘッド本体とは比較的よい溶接の相容性を有することができるため、結合の信頼性を高めることができるという利点がある。
【考案を実施するための最良の形態】
【００１３】
本考案の実施の形態について、以下、図面を参照して説明する。
【実施例１】
【００１４】
図１、２を参照すると、本考案の実施例１の複合式フェース板を有するゴルフクラブヘッドはウッド型、アイアン型またはパター型などの従来のヘッドの構造から選択することができる。本考案においてはアイアン型のヘッドを例に挙げ、アイアン型のヘッドにはヘッド本体１とェース板２が含まれる。フェース板２は第一板体２１と第二板体２２を結合してなるものである。第一板体２１はフェース板２の正面に位置される。第二板体２２はヘッド本体１の正面に対応するように結合される。
【００１５】
再び図１、２を参照すると、本考案の実施例１のヘッド本体１の材質は炭素鋼、低炭素鋼、ステンレス鋼（例えば１７−４ＰＨステンレス鋼）、合金鋼、低合金鋼、フェロ−マンガン−アルミ合金、ニッケル合金、鋳鉄、構造用鋼、超合金鋼、チタン合金または炭素繊維などの金属または非金属の材質から選択することができる。ヘッド本体１には開口１０、当接部１１とホーゼル１２が設けられる。開口１０はヘッド本体１の正面に設けられる。当接部１１は開口１０の外周縁に環設されることにより、フェース板２に対応して結合することができる。ホーゼル１２はヘッド本体１の片側に突出するように設けられることにより、シャフト（図示せず）と結合することができる。
【００１６】
再び図１、２を参照すると、本考案の実施例１の第一板体２１は高弾性の変形能力を有する材質から選択することができ、例えばステンレス鋼、炭素鋼、銅合金、アルミ合金、フェロ−マンガン−アルミ合金またはチタン合金などの金属材質から選択することができる。第一板体２１には打球正面２１１と結合背面２１２が形成される。打球正面２１１は打球するのに用いられ、結合背面２１２は第二板体２２を結合するのに用いられる。
【００１７】
再び図１、２を参照すると、本考案の実施例１の第二板体２２は高い振動吸収の能力を有する材質から選択することができ、例えば炭素鋼、ステンレス鋼（例えば１７−４ＰＨステンレス鋼）、合金鋼、フェロ−マンガン−アルミ合金、ニッケル合金、鋳鉄、銅合金、アルミ合金または超合金鋼などの金属材質から選択することができる。第二板体２２には結合正面２２１、当接背面２２２と厚突出部２２３が形成される。結合正面２２１は第一板体２１の結合背面２１２を結合するのに用いられる。当接背面２２２はヘッド本体１の当接部１１を結合するのに用いられる。厚突出部２２３は当接背面２２２から突出するように設けられる、本考案の第二板体２２の厚突出部２２３を製造する時、選択的に刃具でフライス盤にかけて削ったり、研磨したりまたはエッチングなどの方式を利用して一部分の第二板体２２を除去したり、或いは鍛圧方式を利用して厚突出部２２３を形成したりすることができる。本考案の実施例１において、厚突出部２２３は選択的に第二板体２２の当接背面２２２の中央部位（すなわち、スイートスポットに対応する部位）において円弧突出状に形成される。その他に、第一板体２２の材質に相対して第二板体２２の材質とヘッド本体１の材質との間には好ましくは比較的高い溶接の相容性を有するように形成されることにより、組立の信頼性を相対的に高めることができる。また、第二板体２２の材質は第一板体２１の材質とは異なるように形成される。
【００１８】
再び図１、２を参照すると、本考案の実施例１において複合式フェース板を有するゴルフクラブヘッドを組み立てようとする時、第一板体２１の結合背面２１２を第二板体２２の結合正面２２１に対応して結合させ、そして第一板体２１と第二板体２２は好ましくは選択的に爆発溶接、ロール、粘着または上記組合せなどの方式を利用して相互に結合させることができる。仮に爆発溶接またはロールによる結合方式を選択した場合、第一板体２１と第二板体２２との対応する結合面の間には一体成形になるように一層の爆発溶接層またはロール層が結合される。そして、粘着の方式を選択した場合、第一板体２１と第二板体２２との対応する結合面の間には粘着剤によって一層の粘着層が形成される。これにより、第一板体２１と第二板体２２は共同でフェース板２を形成する。それから、第二板体２２の当接背面２２２をヘッド本体１の正面の当接部１１に結合させ、そして第二板体２２とヘッド本体１は好ましくは選択的にタングステンイナートガスアーク熔接、レーザービーム熔接、電子ビーム溶接またはプラズマアーク熔接などの結合方式を利用することができ、しかし選択的に硬ろう付け、貼接、嵌設または螺着などのその他の結合方式を利用することもできる。これにより、ヘッド本体１とフェース板２は共同でゴルフクラブヘッド（図示せず）を形成する。
【００１９】
再び図１、２を参照すると、本考案の実施例１において第二板体２２がヘッド本体１に近い片側には突出するように厚突出部２２３が設けられ、そして厚突出部２２３はフェース板２の中央部位に対応するように形成されることにより、フェース板２の構造強度と使用寿命を相対的に高めることができる。その他に、第一板体２１は高弾性の変形能力を有する材質から選択し、そして第二板体２２は高い振動吸収の能力を有する材質から選択することにより、フェース板２の弾性変形の能力と振動吸収の能力を同時に高めることができる。さらに、第二板体２２とヘッド本体１は同じ材質または比較的よい溶接の相容性を有する材質から選択することにより、組立の信頼性を相対的に高めることができる。
【実施例２】
【００２０】
図３、４を参照すると、本考案の実施例２の複合式フェース板を有するゴルフクラブヘッドが掲示される。実施例１における第二板体２２の厚突出部２２３は円弧突出状に形成されるのに対し、実施例２における厚突出部２２３ａは扁柱体状に形成される。これにより、厚突出部２２３ａによって同様にフェース板２の中央部位の強度を高めることができる。また、扁柱体状の厚突出部２２３ａを設置することにより、製造工程の利便性と製造工程の効率を相対的に高めることができる。その他に、本考案の実施例２においてはウッド型のヘッドまたはその他の各種類の型のヘッドから選択することができる。
【実施例３】
【００２１】
図５を参照すると、本考案の実施例３の複合式フェース板を有するゴルフクラブヘッドが掲示される。図５に示すように、実施例１、２と比較してみると、実施例３において第二板体２２の厚突出部２２３ｂは選択的に第二板体２２の外周縁ゾーンに形成され、例えばトー部（toe）またはヒール部（heel）などに近い部位に形成されることにより、打球の応力を適当に分散し、さらに打球の余震を吸収すると共に、打球の安定性を相対的に高めることができる。
【実施例４】
【００２２】
図６を参照すると、本考案の実施例４の複合式フェース板を有するゴルフクラブヘッドが掲示される。図６に示すように、実施例４において第二板体２２の厚突出部２２３ｃは環状になるように第二板体２２の当接背面２２２の外周縁に形成され、そして厚突出部２２３ｃはヘッド本体１の当接部１１を対応して結合するのに用いられるため、第二板体２２とヘッド本体１との結合の部位の強度を相対的に高めることができる。
【実施例５】
【００２３】
図７を参照すると、本考案の実施例５の複合式フェース板を有するゴルフクラブヘッドが掲示される。図７に示すように、実施例５において第二板体２２の厚突出部２２３ｄは環状になるように第二板体２２の当接背面２２２に形成され、そして厚突出部２２３ｄは第二板体２２の中央部位（すなわち、打球のスイートスポットに対応する）の外囲ゾーンに環設されるが、ヘッド本体１とフェース板２との結合の部位には及ばず、厚突出部２２３ｄは打球のスイートスポットが伝送する打球の応力を分散するのに用いられ、さらに打球の余震を吸収するのに用いられることにより、打球の安定性を相対的に高めることができる。また、当接背面２２２の中央部位の範囲内には厚突出部２２３ｄを有しないため、厚突出部２２３ｄが過度に振動を吸収することによって打球の功能を相対的に減らしてしまうのを避けることができる。
【実施例６】
【００２４】
図８を参照すると、本考案の実施例６の複合式フェース板を有するゴルフクラブヘッドが掲示される。図８に示すように、実施例６において第二板体２２の厚突出部２２３ｅ、２２３ｅ’は凸リブ状になるように第二板体２２の当接背面２２２に形成される。厚突出部２２３ｅは選択的にゴルフクラブヘッドのヒール部からトー部まで延伸するように形成され、そして厚突出部２２３ｅ’は選択的にゴルフクラブヘッドのクラウン部からソール部まで延伸するように形成される。さらに、厚突出部２２３ｅ、２２３ｅ’はフェース板２の中央部位（すなわち、打球のスイートスポットに対応する）において交差になるように形成されることにより、フェース板２の強度を相対的に高めることができる。
【産業上の利用可能性】
【００２５】
上述の如く、従来の複合式フェース板を有するゴルフクラブヘッドによれば、ただ第一板材の背面の周縁の部位において第二板材を結合することにより、フェース板の中央部位の構造強度が低くなり、さらに第一板材と第二板材との間には極めて限られた結合面積しか有しないという問題点があったが、図１に示す本考案の複合式フェース板を有するゴルフクラブヘッドによれば、第一板体２１と第二板体２２を結合することによってフェース板２を形成し、そして第二板体２２の当接背面２２２は中央部位に近いため、さらに外周縁ゾーンまたは結合部位等には選択的に厚突出部２２３が設けられるため、確実にフェース板２の構造強度と使用寿命を相対的に高めることができる。
【００２６】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本考案の実施例１の複合式フェース板を有するゴルフクラブヘッドの分解斜視図である。
【図２】本考案の実施例１の複合式フェース板を有するゴルフクラブヘッドによる組み立てられた状態を示す断面図である。
【図３】本考案の実施例２の複合式フェース板を有するゴルフクラブヘッドの分解斜視図である。
【図４】本考案の実施例２の複合式フェース板を有するゴルフクラブヘッドによる組み立てられた状態を示す断面図である。
【図５】本考案の実施例３の複合式フェース板を有するゴルフクラブヘッドの分解斜視図である。
【図６】本考案の実施例４の複合式フェース板を有するゴルフクラブヘッドの分解斜視図である。
【図７】本考案の実施例５の複合式フェース板を有するゴルフクラブヘッドの分解斜視図である。
【図８】本考案の実施例６の複合式フェース板を有するゴルフクラブヘッドの分解斜視図である。
【符号の説明】
【００２８】
１    ヘッド本体                    １０    開口
１１    当接部                        １２    ホーゼル
２    フェース板                    ２１    第一板体
２１１    打球正面                    ２１２    結合背面
２２    第二板体                    ２２１    結合正面
２２２    当接背面                    ２２３    厚突出部
２２３ａ    厚突出部                  ２２３ｂ    厚突出部
２２３ｃ    厚突出部                  ２２３ｄ    厚突出部
２２３ｅ    厚突出部                  ２２３ｂ’  厚突出部
【図１】
0003120340.tif 000003
【図２】
0003120340.tif 000004
【図３】
0003120340.tif 000005
【図４】
0003120340.tif 000006
【図５】
0003120340.tif 000007
【図６】
0003120340.tif 000008
【図７】
0003120340.tif 000009
【図８】
0003120340.tif 000010